(57)【要約】【課題】    簡単な構造にできてコスト増加を招くことなく、かつ開閉操作が容易にできる建具を提供すること。【解決手段】上部可動障子１０Ａおよび下部可動障子１０Ｂが滑車１５を介して互いに釣り合うようにロープ１６で連結されているので、各々の障子１０Ａ，１０Ｂの重量に応じた付勢力で各障子１０Ａ，１０Ｂを上方に吊り上げるバランサが不要にでき、小さな操作力で上部および下部の可動障子１０Ａ，１０Ｂを開閉することができる。従って、上げ下げ窓１の構造を簡単化して製造コストの増加を防止することができる。さらに、下部可動障子１０Ｂのみを操作するだけで、手の届きにくい上部可動障子１０Ａも開閉することができ、開閉操作を容易に実施することができるとともに、一度の操作で上げ下げ窓１を開閉することもできるので、この点でも開閉操作を容易にすることができる。【選択図】  図１
2006328818.tif 000002
【特許請求の範囲】
【請求項１】
上枠、下枠、および左右の縦枠を有する窓枠と、この窓枠内に支持された少なくとも上下二段の障子とを備え、
前記上下二段の障子は、それぞれ前記縦枠に沿って上下にスライド自在に設けられるとともに、前記窓枠上部に設けられた滑車と、この滑車に巻回された紐状の連結材とを介して互いに連結され、一方の障子の上方または下方への開移動に連動して他方の障子が下方または上方に開移動され、かつ一方の障子の下方または上方への閉移動に連動して他方の障子が上方または下方に閉移動される建具。
【請求項２】
前記上下二段の障子は、互いに略同一鉛直面内に設けられた上部可動障子および下部可動障子からなり、これら上部および下部の可動障子よりも室外側には、前記上枠に当接して前記窓枠に固定された上部固定障子と、前記下枠に当接して前記窓枠に固定された下部固定障子とが設けられ、
前記上部可動障子は、その下端縁が前記下部可動障子の上端縁に当接し、かつその上端縁が前記上部固定障子の下端縁と見込み方向に重なる閉鎖位置と、当該上部可動障子が前記上部固定障子の室内側に重なる開放位置との間を開閉可能に構成され、
前記下部可動障子は、その上端縁が前記上部可動障子の下端縁に当接し、かつその下端縁が前記下部固定障子の上端縁と見込み方向に重なる閉鎖位置と、当該下部可動障子が前記下部固定障子の室内側に重なる開放位置との間を開閉可能に構成されている請求項１に記載の建具。
【請求項３】
前記窓枠は、外壁の室外側側面に固定され、前記上枠が前記外壁の開口部上端よりも上側に設けられるとともに、前記下枠が前記外壁の開口部下端よりも下側に設けられ、
前記上下二段の障子は、互いに略同一鉛直面内に設けられた上部可動障子および下部可動障子からなり、
前記上部可動障子は、その下端縁が前記下部可動障子の上端縁に当接し、かつその上端縁が前記外壁の開口部上端縁と見込み方向に重なる閉鎖位置と、当該上部可動障子が前記外壁の室外側に重なり、かつその下端縁が前記外壁の開口部上端縁と略同一高さに位置された開放位置との間を開閉可能に構成され、
前記下部可動障子は、その上端縁が前記上部可動障子の下端縁に当接し、かつその下端縁が前記外壁の開口部下端縁と見込み方向に重なる閉鎖位置と、当該下部可動障子が前記外壁の室外側に重なり、かつその上端縁が前記外壁の開口部下端縁と略同一高さに位置された開放位置との間を開閉可能に構成されている請求項１に記載の建具。
【請求項４】
前記上下二段の障子は、互いに略同一鉛直面内に設けられた上部可動障子および下部可動障子からなり、これら上部および下部の可動障子よりも室外側には、前記上枠および下枠から離隔されて前記左右の縦枠間に固定された中間部固定障子が設けられ、
前記上部可動障子は、その上端縁が前記上枠に当接し、かつその下端縁が前記中間部固定障子の上端縁と見込み方向に重なる閉鎖位置と、当該上部可動障子が前記中間部固定障子の室内側に重なり、かつその上端縁が前記中間部固定障子の上端縁と略同一高さに位置された開放位置との間を開閉可能に構成され、
前記下部可動障子は、その下端縁が前記下枠に当接し、かつその上端縁が前記中間部固定障子の下端縁と見込み方向に重なる閉鎖位置と、当該下部可動障子が前記中間部固定障子の室内側に重なり、かつその下端縁が前記中間部固定障子の下端縁と略同一高さに位置された開放位置との間を開閉可能に構成されている請求項１に記載の建具。
【請求項５】
前記上下二段の障子は、互いに室内外に異なる鉛直面内に設けられた上部可動障子および下部可動障子からなり、これらの上部可動障子と下部可動障子との見込み方向中間位置には、前記上枠および下枠から離隔されて前記左右の縦枠間に固定された中間部固定障子が設けられ、
前記上部可動障子は、その上端縁が前記上枠に当接し、かつその下端縁が前記中間部固定障子の上端縁と見込み方向に重なる閉鎖位置と、当該上部可動障子が前記中間部固定障子の室内側または室外側に重なる開放位置との間を開閉可能に構成され、
前記下部可動障子は、その下端縁が前記下枠に当接し、かつその上端縁が前記中間部固定障子の下端縁と見込み方向に重なる閉鎖位置と、当該下部可動障子が前記中間部固定障子の室外側または室内側に重なる開放位置との間を開閉可能に構成されている請求項１に記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
建物の外壁開口部に設けられる窓（サッシ窓）として、上下一対の障子を備えた上げ下げ窓が知られている（例えば、特許文献１参照）。
特許文献１に記載された上げ下げ窓は、窓枠と、この窓枠内に上下にスライド開閉自在に設けられた室外障子（上部障子）および室内障子（下部障子）を備えて構成されている。そして、窓枠の上部（上枠）には、室外障子および室内障子の各々とワイヤで連結されたバランサが設けられており、このバランサによって各障子がその重量に応じた付勢力で上方に付勢され、小さな操作力で開閉操作できるように構成されている。
【０００３】
【特許文献１】特開２００３−４９５７８号公報
【発明の開示】
【発明が解決しようとする課題】
【０００４】
しかしながら、前記特許文献１に記載の上げ下げ窓では、室内外の各障子を上方に付勢することから、各々の障子に対応した一対のばねをバランサに設ける必要があり、バランサの構造が複雑化してしまい、製造コストが増大するという問題がある。
また、室内外の各障子がそれぞれ独立して開閉操作されるため、特に室外障子を上部障子とした場合には、この上部障子に手が届きにくくなって開閉操作が困難になってしまうという問題もある。
【０００５】
本発明の目的は、簡単な構造にできてコスト増加を招くことなく、かつ開閉操作が容易にできる建具を提供することにある。
【課題を解決するための手段】
【０００６】
本発明の建具は、上枠、下枠、および左右の縦枠を有する窓枠と、この窓枠内に支持された少なくとも上下二段の障子とを備え、前記上下二段の障子は、それぞれ前記縦枠に沿って上下にスライド自在に設けられるとともに、前記窓枠上部に設けられた滑車と、この滑車に巻回された紐状の連結材とを介して互いに連結され、一方の障子の上方または下方への開移動に連動して他方の障子が下方または上方に開移動され、かつ一方の障子の下方または上方への閉移動に連動して他方の障子が上方または下方に閉移動されることを特徴とする。
【０００７】
ここで、少なくとも上下二段の障子は、上下一対の２枚の障子（上部障子および下部障子）から構成されていてもよく、３枚以上の障子から構成されていてもよい。
【０００８】
以上の本発明によれば、上下二段の障子を滑車に巻回された連結材で連結し、一方の障子の開閉移動に連動して他方の障子が開閉移動するように構成した、つまり一方および他方の障子が滑車を介して互いに釣り合うように窓枠に支持されているので、各々の障子の重量に応じた付勢力で各障子を上方に吊り上げる必要がない。これにより、例えば、上下二段の障子の重量が略同一であれば、従来のようなバランサを省略しても小さな力で障子の開閉を実施することができる。一方、上下二段の障子の重量が相違したとしても、互いの重量の差分だけの付勢力でいずれか一方の障子を吊り上げればよく、従来のような複雑な構造のバランサを用いなくても小さな力で障子の開閉を実施することができる。従って、バランサを省略あるいは単純な構造のバランサを用いることができ、建具の構造を簡単化して製造コストの増加を防止することができる。
さらに、上下二段の障子が連動して開閉移動することで、例えば、下側の障子のみを操作するだけで、手の届きにくい上側の障子も開閉することができ、開閉操作を容易に実施することができる。そして、一度の開閉操作で建具を大きく開口させる、あるいは開口を閉じることもできるので、この点でも開閉操作を容易にすることができる。
【０００９】
この際、本発明の建具では、前記上下二段の障子は、互いに略同一鉛直面内に設けられた上部可動障子および下部可動障子からなり、これら上部および下部の可動障子よりも室外側には、前記上枠に当接して前記窓枠に固定された上部固定障子と、前記下枠に当接して前記窓枠に固定された下部固定障子とが設けられ、前記上部可動障子は、その下端縁が前記下部可動障子の上端縁に当接し、かつその上端縁が前記上部固定障子の下端縁と見込み方向に重なる閉鎖位置と、当該上部可動障子が前記上部固定障子の室内側に重なる開放位置との間を開閉可能に構成され、前記下部可動障子は、その上端縁が前記上部可動障子の下端縁に当接し、かつその下端縁が前記下部固定障子の上端縁と見込み方向に重なる閉鎖位置と、当該下部可動障子が前記下部固定障子の室内側に重なる開放位置との間を開閉可能に構成されていることが好ましい。
【００１０】
このような構成によれば、窓枠の上部および下部に固定された上部固定障子および下部固定障子と、閉じた状態で窓枠の高さ方向中間部に位置する上部可動障子および下部可動障子とからなる４枚の障子を有して建具が構成される。このような建具において、上部可動障子または下部可動障子を開放操作してこれらを開放すれば、上部可動障子が上部固定障子の室内側に重なり、下部可動障子が下部固定障子の室内側に重なって、窓枠の高さ方向中間部に大きな開口が形成でき、この開口を通じて通風、換気を実施することができる。さらに、上部および下部の固定障子、上部および下部の可動障子を略同一高さ寸法に形成すれば、上部および下部の可動障子の重量が釣り合ってバランサを省略することができるとともに、均整の取れた外観となって建具の意匠性を良好にすることができる。
【００１１】
また、本発明の建具では、前記窓枠は、外壁の室外側側面に固定され、前記上枠が前記外壁の開口部上端よりも上側に設けられるとともに、前記下枠が前記外壁の開口部下端よりも下側に設けられ、前記上下二段の障子は、互いに略同一鉛直面内に設けられた上部可動障子および下部可動障子からなり、前記上部可動障子は、その下端縁が前記下部可動障子の上端縁に当接し、かつその上端縁が前記外壁の開口部上端縁と見込み方向に重なる閉鎖位置と、当該上部可動障子が前記外壁の室外側に重なり、かつその下端縁が前記外壁の開口部上端縁と略同一高さに位置された開放位置との間を開閉可能に構成され、前記下部可動障子は、その上端縁が前記上部可動障子の下端縁に当接し、かつその下端縁が前記外壁の開口部下端縁と見込み方向に重なる閉鎖位置と、当該下部可動障子が前記外壁の室外側に重なり、かつその上端縁が前記外壁の開口部下端縁と略同一高さに位置された開放位置との間を開閉可能に構成されていてもよい。
【００１２】
このような構成によれば、閉じた状態で外壁の開口部を覆う上部可動障子および下部可動障子を開放すれば、上部可動障子が外壁の室外側に重なり、下部可動障子が外壁の室外側に重なって、外壁の開口部全体が大きく開口されることとなり、この開口部を通じて通風、換気を実施することができる。さらに、上部可動障子および下部可動障子を開放した状態において、室内側から障子が見えないようにすることができ、優れた開放感および良好な意匠性を得ることができる。
【００１３】
さらに、本発明の建具では、前記上下二段の障子は、互いに略同一鉛直面内に設けられた上部可動障子および下部可動障子からなり、これら上部および下部の可動障子よりも室外側には、前記上枠および下枠から離隔されて前記左右の縦枠間に固定された中間部固定障子が設けられ、前記上部可動障子は、その上端縁が前記上枠に当接し、かつその下端縁が前記中間部固定障子の上端縁と見込み方向に重なる閉鎖位置と、当該上部可動障子が前記中間部固定障子の室内側に重なり、かつその上端縁が前記中間部固定障子の上端縁と略同一高さに位置された開放位置との間を開閉可能に構成され、前記下部可動障子は、その下端縁が前記下枠に当接し、かつその上端縁が前記中間部固定障子の下端縁と見込み方向に重なる閉鎖位置と、当該下部可動障子が前記中間部固定障子の室内側に重なり、かつその下端縁が前記中間部固定障子の下端縁と略同一高さに位置された開放位置との間を開閉可能に構成されていてもよい。
【００１４】
このような構成によれば、窓枠の高さ方向中間部に固定された中間部固定障子と、閉じた状態で窓枠の上部または下部に位置する上部可動障子および下部可動障子とからなる３枚の障子を有して建具が構成される。このような建具において、上部可動障子または下部可動障子を開放操作してこれらを開放すれば、上部可動障子および下部可動障子がともに中間部固定障子の室内側に重なって、窓枠の上部および下部に各々開口が形成でき、これらの開口を通じて通風、換気を実施することができる。さらに、上部および下部の可動障子の高さ寸法を揃えるとともに、これらを合わせた高さ寸法に中間部固定障子を形成すれば、上部および下部の可動障子の重量が釣り合ってバランサを省略することができるとともに、開放状態における建具の意匠性を良好にすることができる。また、上部および下部の可動障子を閉じた状態において、高さ寸法の大きい中間部固定障子を通して屋外の景観を楽しむことができ、開放感を向上させることができる。
【００１５】
さらに、本発明の建具では、前記上下二段の障子は、互いに室内外に異なる鉛直面内に設けられた上部可動障子および下部可動障子からなり、これらの上部可動障子と下部可動障子との見込み方向中間位置には、前記上枠および下枠から離隔されて前記左右の縦枠間に固定された中間部固定障子が設けられ、前記上部可動障子は、その上端縁が前記上枠に当接し、かつその下端縁が前記中間部固定障子の上端縁と見込み方向に重なる閉鎖位置と、当該上部可動障子が前記中間部固定障子の室内側または室外側に重なる開放位置との間を開閉可能に構成され、前記下部可動障子は、その下端縁が前記下枠に当接し、かつその上端縁が前記中間部固定障子の下端縁と見込み方向に重なる閉鎖位置と、当該下部可動障子が前記中間部固定障子の室外側または室内側に重なる開放位置との間を開閉可能に構成されていてもよい。
【００１６】
このような構成によれば、窓枠の高さ方向中間部に固定された中間部固定障子と、閉じた状態で窓枠の上部または下部に位置する上部可動障子および下部可動障子とからなる３枚の障子を有して建具が構成される。このような建具において、上部可動障子または下部可動障子を開放操作してこれらを開放すれば、上部可動障子および下部可動障子が中間部固定障子の室内側または室外側に重なって、窓枠の上部および下部に各々大きな開口が形成でき、これらの開口を通じて通風、換気を実施することができる。さらに、上部および下部の可動障子と中間部固定障子との高さ寸法を揃えれば、上部および下部の可動障子の重量が釣り合ってバランサを省略することができるとともに、開放状態において３枚の障子が見込み方向に重なって障子が目立たないようにすることができる。そして、上部および下部の可動障子を閉じた状態において、略目字形のバランスのよい外観が得られ、この点でも意匠性を良好にすることができる。
【発明を実施するための最良の形態】
【００１７】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１８】
〔第１実施形態〕
図１(Ａ)，(Ｂ)は、本発明の第１実施形態に係る建具である上げ下げ窓１の概略構成を示す縦断面図である。図２(Ａ)，(Ｂ)は、上げ下げ窓１を室内側から見た斜視図である。そして、図１(Ａ)および図２(Ａ)は、それぞれ閉じた状態の上げ下げ窓１を示し、図１(Ｂ)および図２(Ｂ)は、それぞれ開いた状態の上げ下げ窓１を示している。
図１および図２において、上げ下げ窓１は、戸建て住宅等の建物の外壁２における開口部３に設けられて建物の室内空間と室外空間とを仕切るものである。
【００１９】
上げ下げ窓１は、上枠６、下枠７、および左右の縦枠８を四周枠組みした窓枠５と、この窓枠５の内側に支持された４枚の障子１０（上部可動障子１０Ａ、下部可動障子１０Ｂ、上部固定障子１０Ｃ、下部固定障子１０Ｄ）を備えて構成されている。窓枠５は、外壁２の室外側側面において開口部３周辺の柱や壁パネル等の建物躯体に固定されている。障子１０は、それぞれ上框１１、下框１２、および左右の縦框１３を四周框組みした内部に、ガラスパネル（面材）１４を嵌め込んで構成されている。そして、４枚の障子１０は、互いに略同一の高さ寸法を有して形成されている。
【００２０】
４枚の障子１０のうち、上部可動障子１０Ａおよび下部可動障子１０Ｂは、互いに略同一鉛直面内に設けられるとともに、それぞれ窓枠１０の縦枠８に案内されて上下にスライド可能に支持されている。そして、上部可動障子１０Ａの下框１２と下部可動障子１０Ｂの上框１１とが当接して閉じるようになっている。また、上部固定障子１０Ｃおよび下部固定障子１０Ｄは、それぞれ上部および下部の可動障子１０Ａ，１０Ｂよりも室外側における略同一鉛直面内に設けられ、上部固定障子１０Ｃは、その上框１１を上枠６に当接した状態で窓枠５に固定され、下部固定障子１０Ｄは、その下框１２を下枠７に当接した状態で窓枠５に固定されている。
【００２１】
上部可動障子１０Ａと下部可動障子１０Ｂとは、窓枠５の上部に設けられた滑車１５と、この滑車１５に巻回された紐状の連結材であるロープ１６とを介して互いに連結されている。このロープ１６は、縦枠８内に設けられ、その一端が上部可動障子１０Ａの下框１２に結合され、滑車１５に巻回されてから、その他端が下部可動障子１０Ｂの下框１２に結合されている。従って、上部可動障子１０Ａの上方への開移動に連動して下部可動障子１０Ｂが下方に開移動されるとともに、上部可動障子１０Ａの下方への閉移動に連動して下部可動障子１０Ｂが上方に閉移動されるようになっている。
ここで、本実施形態においては、ロープ１６を下框１２に結合したが、これは上部可動障子１０Ａ、下部可動障子１０Ｂが内倒し可能に構成されているためである。つまり、下框１２を支点に上框１１側が室内側に傾動する構成であるため、上框１１にロープ１６を結合した場合には、その傾動時にロープ１６が室内側に露出してしまう。なお、上部可動障子１０Ａおよび下部可動障子１０Ｂを内倒し可能に構成しない場合には、ロープ１６を上框１１に結合してもよい。
【００２２】
上部可動障子１０Ａは、図１(Ａ)および図２(Ａ)に示すように、その下框（下端縁）１２が下部可動障子１０Ｂの上框（上端縁）１１に当接し、かつその上框（上端縁）１１が上部固定障子１０Ｃの下框（下端縁）１２と見込み方向に重なる閉鎖位置と、図１(Ｂ)および図２(Ｂ)に示すように、上部可動障子１０Ａが上部固定障子１０Ｃの室内側に重なる開放位置との間を開閉可能に構成されている。
一方、下部可動障子１０Ｂは、その上框（上端縁）１１が上部可動障子１０Ａの下框１２に当接し、かつその下框（下端縁）１２が下部固定障子１０Ｄの上框（上端縁）１１と見込み方向に重なる閉鎖位置と、下部可動障子１０Ｂが下部固定障子１０Ｄの室内側に重なる開放位置との間を、上部可動障子１０Ａに連動して開閉可能に構成されている。
【００２３】
以上のような上げ下げ窓１において、上部可動障子１０Ａおよび下部可動障子１０Ｂを開放位置まで開放した際には、上部可動障子１０Ａおよび上部固定障子１０Ｃと、下部可動障子１０Ｂおよび下部固定障子１０Ｄとの間である窓枠５の高さ方向中間位置に、外壁２の開口部３の略半分の高さ寸法を有した開口Ｏ１が形成されるようになっている。
なお、室外側に位置する上部可動障子１０Ｃおよび下部可動障子１０Ｄについても、室内側に位置する上部可動障子１０Ａおよび下部可動障子１０Ｂと同様の構成の可動障子とすることが可能であり、このような構成にすることで、室内外の障子を各々別々に動かすことができ、かつ開口部を上下や中央の任意の位置に形成することができるようになる。
【００２４】
このような本実施形態によれば、以下のような効果がある。
（１）すなわち、上部可動障子１０Ａおよび下部可動障子１０Ｂが滑車１５を介して互いに釣り合うようにロープ１６で連結されているので、各々の障子１０Ａ，１０Ｂの重量に応じた付勢力で各障子１０Ａ，１０Ｂを上方に吊り上げる必要がなく、従来のようなバランサを用いなくても小さな操作力で上部および下部の可動障子１０Ａ，１０Ｂを開閉することができる。従って、上げ下げ窓１の構造を簡単化して製造コストの増加を防止することができる。
【００２５】
（２）さらに、上部可動障子１０Ａおよび下部可動障子１０Ｂが連動して開閉移動することで、例えば、下部可動障子１０Ｂのみを操作するだけで、手の届きにくい上部可動障子１０Ａも開閉することができ、開閉操作を容易に実施することができる。そして、一度の開閉操作で上げ下げ窓１を大きく開口させる、あるいは開口を閉じることもできるので、この点でも開閉操作を容易にすることができる。
【００２６】
（３）また、４枚の障子１０Ａ，１０Ｂ，１０Ｃ，１０Ｄが略同一の高さ寸法に形成され、開放状態において、上部可動障子１０Ａが上部固定障子１０Ｃの室内側に重なり、下部可動障子１０Ｂが下部固定障子１０Ｄの室内側に重なることで、窓枠５の高さ方向中間部に大きな開口Ｏ１が形成でき、この開口Ｏ１を通じて通風、換気を実施することができるとともに、均整の取れた外観となって上げ下げ窓１の意匠性を良好にすることができる。
【００２７】
〔第２実施形態〕
次に、本発明の第２実施形態に係る建具である上げ下げ窓１Ａについて、図３および図４に基づいて説明する。
図３(Ａ)，(Ｂ)は、第２実施形態の上げ下げ窓１Ａの概略構成を示す縦断面図である。図４(Ａ)，(Ｂ)は、上げ下げ窓１Ａを室外側から見た斜視図である。そして、図３(Ａ)および図４(Ａ)は、それぞれ閉じた状態の上げ下げ窓１Ａを示し、図３(Ｂ)および図４(Ｂ)は、それぞれ開いた状態の上げ下げ窓１Ａを示している。
本実施形態の上げ下げ窓１Ａは、前記第１実施形態の上げ下げ窓１に対して外壁２と窓枠５との関係が相違するとともに、固定障子１０Ｃ，１０Ｄを省略した点が相違し、その他の構成は、第１実施形態と略同様である。
【００２８】
図３および図４において、上げ下げ窓１Ａは、窓枠５と、この窓枠５の内側に支持された２枚の可動障子１０（上部可動障子１０Ａ、下部可動障子１０Ｂ）を備えて構成されている。これらの上部可動障子１０Ａおよび下部可動障子１０Ｂは、互いに略同一の高さ寸法を有して形成されているとともに、前記第１実施形態と同様に、滑車１５およびロープ１６で連結され、互いに連動して開閉移動可能に構成されている。窓枠５は、外壁２の室外側側面に固定され、上枠６が外壁２の開口部３上端よりも上側に設けられるとともに、下枠７が外壁２の開口部３下端よりも下側に設けられている。そして、上枠６よりも下側の外壁２の室外側側面、および下枠７よりも上側の外壁２の室外側側面には、それぞれガラスパネルを有したパネル材１７が取り付けられている。
【００２９】
上部可動障子１０Ａおよび下部可動障子１０Ｂは、互いに略同一鉛直面内に設けられるとともに、上部可動障子１０Ａの下框（下端縁）１２と、下部可動障子１０Ｂの上框（上端縁）１１とが当接することで閉じるようになっている。そして、閉鎖位置において、上部可動障子１０Ａの上框（上端縁）１１が外壁２の開口部３上端縁と見込み方向に重なり、下部可動障子１０Ｂの下框（下端縁）１２が外壁２の開口部３下端縁と見込み方向に重なって、上げ下げ窓１Ａが閉じるようになっている。
上部可動障子１０Ａは、閉鎖位置から上方に開移動されてパネル材１７の室外側に重なるとともに、その下框１２が開口部３の上端縁と略同一高さに位置する開放位置までの間を開閉可能に構成されている。下部可動障子１０Ｂは、閉鎖位置から下方に開移動されてパネル材１７の室外側に重なるとともに、その上框１１が開口部３の下端縁と略同一高さに位置する開放位置までの間を開閉可能に構成されている。
【００３０】
以上のような上げ下げ窓１Ａにおいて、上部可動障子１０Ａおよび下部可動障子１０Ｂを開放位置まで開放した際には、上部可動障子１０Ａと下部可動障子１０Ｂとの間である窓枠５の高さ方向中間位置に、外壁２の開口部３と略同一の開口寸法を有した開口Ｏ２が形成されるようになっている。
【００３１】
このような本実施形態によれば、前述の(１)、(２)の効果に加えて以下のような効果がある。
（４）すなわち、開放状態において、上部可動障子１０Ａおよび下部可動障子１０Ｂが外壁２（パネル材１７）の室外側に重なって、外壁２の開口部３と略同一寸法の大きな開口Ｏ２が形成されるので、この開口Ｏ２を通じて通風、換気を効率的に実施することができるとともに、室内側から可動障子１０Ａ，１０Ｂが見えないようにすることができ、優れた開放感および良好な意匠性を得ることができる。
【００３２】
〔第３実施形態〕
次に、本発明の第３実施形態に係る建具である上げ下げ窓１Ｂについて、図５および図６に基づいて説明する。
図５(Ａ)，(Ｂ)は、第３実施形態の上げ下げ窓１Ｂの概略構成を示す縦断面図である。図６(Ａ)，(Ｂ)は、上げ下げ窓１Ｂを室内側から見た斜視図である。そして、図５(Ａ)および図６(Ａ)は、それぞれ閉じた状態の上げ下げ窓１Ｂを示し、図５(Ｂ)および図６(Ｂ)は、それぞれ開いた状態の上げ下げ窓１Ｂを示している。
本実施形態の上げ下げ窓１Ｂは、前記第１実施形態の上げ下げ窓１に対して障子１０の構成が相違し、その他の構成は、第１実施形態と略同様である。
【００３３】
図５および図６において、上げ下げ窓１Ｂは、窓枠５と、この窓枠５の内側に支持された３枚の可動障子１０（上部可動障子１０Ａ、下部可動障子１０Ｂ、中間部固定障子１０Ｅ）を備えて構成されている。上部可動障子１０Ａおよび下部可動障子１０Ｂは、互いに略同一の高さ寸法を有して形成されているとともに、前記第１実施形態と同様に、滑車１５およびロープ１６で連結され、互いに連動して開閉移動可能に構成されている。中間部固定障子１０Ｅは、上部および下部の可動障子１０Ａ，１０Ｂよりも室外側において、上枠６および下枠７から離隔された窓枠５の高さ方向中間部にて左右の縦枠８間に固定されている。そして、中間部固定障子１０Ｅは、上部可動障子１０Ａおよび下部可動障子１０Ｂの高さ寸法の略２倍の高さ寸法を有して形成されている。
【００３４】
上部可動障子１０Ａおよび下部可動障子１０Ｂは、互いに略同一鉛直面内に設けられている。上部可動障子１０Ａは、その上框（上端縁）１１が上枠６に当接するとともに、その下框（下端縁）１２が中間部固定障子１０Ｅの上框（上端縁）１１と見込み方向に重なることで閉じるようになっている。下部可動障子１０Ｂは、その下框（下端縁）１２が下枠７に当接するとともに、その上框（上端縁）１１が中間部固定障子１０Ｅの下框（下端縁）１２と見込み方向に重なることで閉じるようになっている。
上部可動障子１０Ａは、閉鎖位置から下方に開移動されて中間部固定障子１０Ｅの室内側に重なるとともに、その下框１２が下部可動障子１０Ｂの上框１１に当接する開放位置までの間を開閉可能に構成されている。下部可動障子１０Ｂは、閉鎖位置から上方に開移動されて中間部固定障子１０Ｅの室内側に重なるとともに、その上框１１が上部可動障子１０Ａの下框１２に当接する開放位置までの間を開閉可能に構成されている。
【００３５】
以上のような上げ下げ窓１Ｂにおいて、上部可動障子１０Ａおよび下部可動障子１０Ｂを中間部固定障子１０Ｅに重なる開放位置まで開放した際には、上枠６と上部可動障子１０Ａとの間、および下枠７と下部可動障子１０Ｂとの間の上下２箇所に、それぞれ開口Ｏ３が形成されるようになっている。
【００３６】
このような本実施形態によれば、前述の(１)、(２)の効果に加えて以下のような効果がある。
（５）すなわち、開放状態において、上部可動障子１０Ａおよび下部可動障子１０Ｂがともに中間部固定障子１０Ｅの室内側に重なって、窓枠５の上部および下部に各々開口Ｏ３が形成でき、これらの開口Ｏ３を通じて通風、換気を効果的に実施することができるとともに、開放状態における上げ下げ窓１Ｂの意匠性を良好にすることができる。さらに、上部および下部の可動障子１０Ａ，１０Ｂの高さ寸法が略同一に形成されるとともに、これらを合わせた高さ寸法に中間部固定障子１０Ｅが形成されているので、閉鎖状態において、高さ寸法の大きい中間部固定障子１０Ｅを通して屋外の景観を楽しむことができ、開放感を向上させることができる。
【００３７】
〔第４実施形態〕
次に、本発明の第４実施形態に係る建具である上げ下げ窓１Ｃについて、図７および図８に基づいて説明する。
図７(Ａ)，(Ｂ)は、第４実施形態の上げ下げ窓１Ｃの概略構成を示す縦断面図である。図８(Ａ)，(Ｂ)は、上げ下げ窓１Ｃを室内側から見た斜視図である。そして、図７(Ａ)および図８(Ａ)は、それぞれ閉じた状態の上げ下げ窓１Ｃを示し、図７(Ｂ)および図８(Ｂ)は、それぞれ開いた状態の上げ下げ窓１Ｃを示している。
本実施形態の上げ下げ窓１Ｃは、前記第３実施形態の上げ下げ窓１Ｂに対して障子１０の構成が相違し、その他の構成は、第１実施形態と略同様である。
【００３８】
図７および図８において、上げ下げ窓１Ｃは、窓枠５と、この窓枠５の内側に支持された３枚の可動障子１０（上部可動障子１０Ａ、下部可動障子１０Ｂ、中間部固定障子１０Ｅ）を備えて構成されている。上部可動障子１０Ａおよび下部可動障子１０Ｂは、前記第１〜第３実施形態と同様に、滑車１５およびロープ１６で上框１１同士が連結され、互いに連動して開閉移動可能に構成されている。また、上部可動障子１０Ａおよび下部可動障子１０Ｂは、互いに室内外に異なる鉛直面内、つまり上部可動障子１０Ａが室外側に設けられ、下部可動障子１０Ｂが室内側に設けられている。中間部固定障子１０Ｅは、上部可動障子１０Ａと下部可動障子１０Ｂとの見込み方向中間位置において、上枠６および下枠７から離隔された窓枠５の高さ方向中間部にて左右の縦枠８間に固定されている。そして、上部可動障子１０Ａ、下部可動障子１０Ｂ、および中間部固定障子１０Ｅは、互いに略同一の高さ寸法を有して形成されている。
【００３９】
上部可動障子１０Ａは、その上框（上端縁）１１が上枠６に当接するとともに、その下框（下端縁）１２が中間部固定障子１０Ｅの上框（上端縁）１１と見込み方向に重なることで閉じるようになっている。下部可動障子１０Ｂは、その下框（下端縁）１２が下枠７に当接するとともに、その上框（上端縁）１１が中間部固定障子１０Ｅの下框（下端縁）１２と見込み方向に重なることで閉じるようになっている。
上部可動障子１０Ａは、閉鎖位置から下方に開移動されて中間部固定障子１０Ｅの室外側に重なる開放位置までの間を開閉可能に構成されている。下部可動障子１０Ｂは、閉鎖位置から上方に開移動されて中間部固定障子１０Ｅの室内側に重なる開放位置までの間を開閉可能に構成されている。
【００４０】
以上のような上げ下げ窓１Ｃにおいて、上部可動障子１０Ａおよび下部可動障子１０Ｂを中間部固定障子１０Ｅに重なる開放位置まで開放した際には、上枠６と各障子１０の上框１１との間、および下枠７と各障子１０の下框１２との間の上下２箇所に、それぞれ開口Ｏ４が形成されるようになっている。
【００４１】
このような本実施形態によれば、前述の(１)、(２)の効果に加えて以下のような効果がある。
（６）すなわち、開放状態において、上部可動障子１０Ａが中間部固定障子１０Ｅの室外側に重なるとともに、下部可動障子１０Ｂが中間部固定障子１０Ｅの室内側に重なって、窓枠５の上部および下部に各々大きな開口Ｏ４が形成でき、これらの開口を通じて通風、換気を効果的に実施することができる。さらに、上部および下部の可動障子１０Ａ，１０Ｂおよび中間部固定障子１０Ｅの高さ寸法が略同一に形成されているので、開放状態において３枚の障子１０Ａ，１０Ｂ，１０Ｅが見込み方向に重なって目立たないようにすることができるとともに、閉鎖状態において、略目字形のバランスのよい外観が得られ、この点でも上げ下げ窓１Ｃの意匠性を良好にすることができる。
【００４２】
なお、本発明は、前記各実施形態に限定されるものではなく、本発明の目的を達成できる他の構成等を含み、以下に示すような変形等も本発明に含まれる。
例えば、前記各実施形態において、窓枠５に固定した上部固定障子１０Ｃや下部固定障子１０Ｄ、中間部固定障子１０Ｅに替えて、窓枠５に対して適宜な開閉形式に支持された可動障子を用いてもよい。
さらに、上部可動障子１０Ａや下部可動障子１０Ｂがスライド開閉に併せて、内倒し開閉や突出し開閉等の適宜な開閉形式で開閉可能に構成されていてもよい。
【００４３】
また、前記各実施形態では、上部可動障子１０Ａと下部可動障子１０Ｂとが略同一の高さ寸法を有して形成されていたが、これに限らず、互いに異なる高さ寸法で形成されていてもよい。この際、上部可動障子１０Ａと下部可動障子１０Ｂとの重量が異なり、滑車１５およびロープ（連結材）１６で連結しても互いに釣り合わない場合には、互いの重量の差分を調整するためのバランサを設けてもよい。そして、バランサは、上部可動障子１０Ａおよび下部可動障子１０Ｂのいずれか重い側を上方に付勢するものであればよく、その構造が簡単にできるとともに付勢力も小さくすることができる。従って、バランサを設けたとしても、上げ下げ窓の構造が複雑化することなく、製造コストの増加を抑制することができる。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】(Ａ)，(Ｂ)は、本発明の第１実施形態に係る建具の概略構成を示す縦断面図である。
【図２】(Ａ)，(Ｂ)は、前記建具を室内側から見た斜視図である。
【図３】(Ａ)，(Ｂ)は、本発明の第２実施形態に係る建具の概略構成を示す縦断面図である。
【図４】(Ａ)，(Ｂ)は、前記建具を室外側から見た斜視図である。
【図５】(Ａ)，(Ｂ)は、本発明の第３実施形態に係る建具の概略構成を示す縦断面図である。
【図６】(Ａ)，(Ｂ)は、前記建具を室内側から見た斜視図である。
【図７】(Ａ)，(Ｂ)は、本発明の第４実施形態に係る建具の概略構成を示す縦断面図である。
【図８】(Ａ)，(Ｂ)は、前記建具を室内側から見た斜視図である。
【符号の説明】
【００４６】
２…外壁、３…開口部、５…窓枠、６…上枠、７…下枠、８…縦枠、１０…障子、１０Ａ…上部可動障子、１０Ｂ…下部可動障子、１０Ｃ…上部固定障子、１０Ｄ…下部固定障子、１０Ｅ…中間部固定障子、１１…障子の上端縁である上框、１２…障子の下端縁である下框、１５…滑車、１６…連結材であるロープ。
【図１】
2006328818.tif 000003
【図２】
2006328818.tif 000004
【図３】
2006328818.tif 000005
【図４】
2006328818.tif 000006
【図５】
2006328818.tif 000007
【図６】
2006328818.tif 000008
【図７】
2006328818.tif 000009
【図８】
2006328818.tif 000010